(57)【要約】【課題】フラップバルブにおいて、性能を犠牲にすることなく構造をシンプルにする。【解決手段】本発明のバルブ１００は、給油口１０２のスロット１１０に係合するネック部１１２を有して給油口１０２の通路１０４を閉じる可撓性のフラップ１０６を有している。器具が通路１０４に挿入されたとき、フラップ１０６は開位置に撓んで通路を通る流れを可能にする。器具が通路１０４から取外されたとき、フラップ１０６の弾性により、フラップ１０６は、外部付勢装置なしで閉位置に復帰する。フラップ材料の可撓性により、バルブに別途のヒンジ機構又は付勢機構を設ける必要がなくなる。【選択図】図１
2007078182.tif 000002
【特許請求の範囲】
【請求項１】
通路（１０４）を有する給油口（１０２）と、可撓性の弾性材料で作られたフラップ（１０６）とを備え、該フラップが前記給油口に常閉位置で係合していることを特徴とするバルブ。
【請求項２】
前記給油口は、前記フラップが閉位置にあるとき、該フラップに接触するシール面（１０８）を含むことを特徴とする請求項１に記載のバルブ。
【請求項３】
前記シール面は、前記給油口に傾斜させて形成されていることを特徴とする請求項２に記載のバルブ。
【請求項４】
前記給油口はスロット（１１０）を有し、前記フラップは前記スロットに係合して前記フラップを前記給油口に保持するネック部（１１２）を有していることを特徴とする請求項１に記載のバルブ。
【請求項５】
前記フラップは、ポリマーフィルムで作られていることを特徴とする請求項１に記載のバルブ。
【請求項６】
前記フラップは、ほぼ円形であることを特徴とする請求項１に記載のバルブ。
【請求項７】
前記フラップは、ほぼＤ形状を有していることを特徴とする請求項１に記載のバルブ。
【請求項８】
前記通路に配置されて高背圧状態中に前記フラップを支持するための少なくとも１つの支持リブ（１１３）を更に含むことを特徴とする請求項１に記載のバルブ。
【請求項９】
通路（１０４）と、該通路の周りを囲むシール面（１０８）と、スロット（１０１）とを有する給油口（１０２）と、
可撓性の弾性材料で作られた給油口（１０６）とを備え、
前記フラップは常閉位置で前記シール面に接触し、前記フラップは前記スロットに係合するネック部（１１２）を含むことを特徴とするバルブ。
【請求項１０】
前記シール面及び前記スロットは共に前記給油口に対して傾斜して形成されていることを特徴とする請求項９に記載のバルブ。
【請求項１１】
前記フラップは、ポリマーフィルムで作られていることを特徴とする請求項９に記載のバルブ。
【請求項１２】
前記フラップは、ほぼ円形であることを特徴とする請求項９に記載のバルブ。
【請求項１３】
前記フラップは、ほぼＤ形状を有し、前記ネック部は、Ｄ形状の直線状側部に形成されていることを特徴とする請求項９に記載のバルブ。
【請求項１４】
前記通路に配置されて高背圧状態中に前記フラップを支持するための少なくとも１つの支持リブを更に含むことを特徴とする請求項９に記載のバルブ。
【請求項１５】
通路（１０４）と、シール面（１０８）と、係合部（１１０）とを有する給油口を形成し、
ネック部（１１２）を有するフラップを形成し、
前記ネック部を前記係合部に係合して、前記フラップが常閉位置に配置されて前記シール面に接触するようにしたことを特徴とするバルブの組立方法。
【請求項１６】
前記シール面及び前記係合部は傾斜して形成されていることを特徴とする請求項１５に記載のバルブの組立方法。
【請求項１７】
前記係合部はスロットであり、前記ネック部を係合するステップは、該ネック部を前記スロットにスナップ係合することを含むことを特徴とする請求項１５に記載のバルブの組立方法。
【請求項１８】
高背圧状態中に前記フラップを支持するための少なくとも１つの支持リブを前記通路に配置するステップを更に含むことを特徴とする請求項１５に記載のバルブの組立方法。
【発明の詳細な説明】
【技術分野】
【０００１】
本発明は、バルブに関し、より具体的には部品点数が削減されて簡素化されたバルブアセンブリに関するものである。
【背景技術】
【０００２】
フラッパバルブは、給油口（ｓｐｕｄ）の通路を開閉するために燃料及び燃料蒸発ガス制御システムにしばしば使用される。これらのバルブは、通常、閉弁位置に付勢されており、曲管ホース等の器具が導管に挿入されたとき、押し開くことができる。例えば、フラッパバルブが給油口として使用された場合、バルブのフラップ扉は、閉位置に向かって付勢され、給油中の流体の流れによって押し開かれる。流体の流れが停止したとき、付勢力がフラップを閉じて、フラップで閉じられた通路をシールできるようにする。
【０００３】
フラップ自体は、通常、スプリング又はヒンジ機構によって給油口に取付けられた硬質プラスチック又は金属の扉である。フラップを給油口に弾性的に付勢した状態で取付けるためには、多数の部品及び組立工程が必要であり、これがバルブの製造を高価にしている。
【発明の開示】
【発明が解決しようとする課題】
【０００４】
バルブの性能を犠牲にすることなく、既存の構造よりも簡素なフラッパバルブ構造が望まれている。
【課題を解決するための手段】
【０００５】
本発明は、給油口のスロットに係合するネック部を有する可撓性フラップを備えたバルブを教示する。フラップは給油口の通路を閉じる。流体が通路を通って流れたとき、流体圧力がフラップを押し開く。フラップは可撓性であるから、フラップが開位置へ撓んで通路を通して円滑な流れを可能にする。通路の流体の流れが停止したとき、フラップは、その弾性によって外部付勢装置なしで閉位置に復帰する。
【０００６】
本発明のバルブを組立てるため、フラップのネック部は、給油口にスナップ係合する。フラップ材料の可撓性によって、バルブに別途のヒンジ機構又はフラップ付勢機構を不要にして組立を簡素化する。
【発明を実施するための最良の形態】
【０００７】
図１及び図２は、本発明の一実施形態に係る２ピースバルブ１００を示している。バルブ１００は、常閉のフラップ１０６によって閉じられる通路１０４を有する給油口１０２を含んでいる。給油口１０２は、フラップ１０６が閉じたとき、フラップ１０６に接触するシール面１０８を有している。図１及び図２に示される実施形態では、フラップ１０６及びシール面１０８は、ほぼ円形である。給油口１０２の特定の形状は、バルブ１００が使用される適用形式に依存し、本発明の一部ではない。
【０００８】
給油口１０２に形成されたスロット１１０は、フラップ１０６を適当な位置に保持する。図２に示されるように、フラップ１０６は、フラップ１０６の周縁部よりも幅狭なネック部１１２を有している。フラップ１０６は、バルブ組立工程中に簡単にスロット１１０にスナップ係合される。スロット１１０は、ネック部１１２をしっかりと固定してフラップ１０６が適当な位置からずれるのを防止している。更に、スロット１１０は、好ましくは、フラップ１０６をシール面１０８に密着させて保持するのに充分なように狭くなっている。この実施形態では、シール面１０８及びスロット１１０は、ネック部１１２によって形成されたフラップ１０６の支点に関してモーメントを作用させて、フラップ１０６をシール面１０８に直接接触した状態で保持するような角度で形成されている。
【０００９】
フラップ１０６自体は、硬質ではなく、可撓性であり、フラップ１０６に圧力が作用したとき、撓んで開く。フラップ１０６の可撓性及びスロット１１０とネック部１１２との間の係合は、フラップ１０６を弾性的に閉じ位置に付勢して給油口１０２の適当な位置に保持するための別途の装置を不要にする。これによってバルブ１００の複雑さを低減し、その結果、製造コストを低減する。フラップ１０６は、ポリエステルフィルム又は他のポリマーフィルム等のあらゆる適当な可撓性材料で作ることができる。一実施形態では、フラップは、背圧による座屈に抗することができるように高い弾性係数を有する比較的薄い（例えば約０．１ｍｍ厚）材料から作られる。
【００１０】
更に高い背圧に耐える必要がある場合には、通路１０４に１つ以上の支持リブ１１３を配置し、フラップ１０６を支持して高背圧状態下でフラップ１０６が潰されるのを防止することができる。支持リブ１１３は、シール面１０８よりも僅かに下方に配置して、フラップ１０６を支持している間、良好なシール状態を確保できるようにするとよい。
【００１１】
図３及び図４は、本発明の他の実施形態を示している。この実施形態では、フラップ１０６及びシール面１０８は、円形ではなく、Ｄ形状である。ネック部１１２は、フラップ１０６の直線状側部１１４に配置されている。更に、この実施形態は、フラップ１０６が給油口１０２に対して傾斜せずに、ほぼ垂直に配置できることを示している。
【００１２】
本発明のバルブは、燃料蒸発ガス制御システムのいかなる部分にも使用することができる。図５は、バルブ１００を給油口をシールするための給油口逆止弁として使用した一例を示している。この図示の例では、曲管ホース１５０が通路１０４に挿入されてフラップ１０６を押し開いている。あるいは、給油中の燃料ノズル（図示せず）からの燃料の流れがフラップ１０６を開位置に押し開くこともできる。フラップ１０６の材料の弾性が、フラップ１０６が開位置に撓むことができるようにしており、これにより、燃料タンクを保守のためにドレンし、及び／又は、給油することができる。流体の流れが停止したとき、流体の流れの停止によって生じる負圧及び／又はフラップ１０６の弾性によって、フラップ１０６はスプリング又は他の付勢部材を必要とすることなく復帰する。
【００１３】
可撓性フラップを組込んでバルブを閉じることにより、本発明は、フラップを開閉位置間で移動できるようにする別途のヒンジを不要にしている。更に、可撓性バルブ材料の弾性により、フラップを閉位置に向かって付勢するための別途の付勢手段を不要にしている。
【００１４】
以上の説明は、例示であって限定ではない。上述の教示を参照すれば、本発明の多数の修正及び変形が可能である。本発明の望ましい実施形態について説明されているが、本発明の範囲内において何らかの修正が可能であることは当業者には理解されるであろう。これにより、添付の特許請求の範囲内において、本発明は、特に説明されたものに限らず実施可能であることが理解されるべきである。このため、添付の特許請求の範囲は、本発明の真の範囲及び内容を決定するために検討されるべきである。
【図面の簡単な説明】
【００１５】
【図１】本発明の一実施形態に係るバルブの側面の縦断面図である。
【図２】図１に示すバルブの平面図である。
【図３】本発明の他の実施形態に係るバルブの側面の縦断面図である。
【図４】図３に示すバルブの平面図である。
【図５】曲管ホースが挿入された図１に示すバルブの側面の縦断面図である。
【符号の説明】
【００１６】
１００  バルブ、１０２  給油口、１０４  通路、１０６  フラップ、１０８  シール面、１１０  スロット、１１２  ネック部、１１３  支持リブ
【図１】
2007078182.tif 000003
【図２】
2007078182.tif 000004
【図３】
2007078182.tif 000005
【図４】
2007078182.tif 000006
【図５】
2007078182.tif 000007